(57)【要約】      （修正有）【課題】ハンドルスタンドを軽量化すると共にサミング操作性を向上した魚釣用リ−ルを提供する。【解決手段】ハンドル軸４の右端４ｄの外周には雄ネジ４ｆが形成されている。リ−ル本体の突出筒部の外側に突出したハンドル軸４の外周はハンドルスタンド６で覆われるようにハンドルスタンド６の内周右端の雌ネジ６ａがハンドル軸４の雄ネジ４ｆに螺合されてハンドルスタンド６は円筒状に形成されて外形は長手方向の中間部を小径部６ｂに、両側を大径部６ｃ、６ｄに形成すると共に、大径部６ｃと小径部６ｂの間に傾斜部６ｅを設け、小径部６ｂの周方向にハンドル軸４の中心に向けて貫通する貫通孔６ｆが複数穿設され、内部の大径内周部６ｇ内にカバ−１４を嵌合することで貫通孔６ｆが閉塞されている。【選択図】図４
2010115127.tif 000002
【特許請求の範囲】
【請求項１】
リ−ル本体からハンドルア−ムを離間して回転可能にするハンドルスタンドを円筒状に形成してハンドルア−ムを取り付けたハンドル軸の外周に嵌合し、前記ハンドルスタンドの外周に、ハンドル軸に向けて貫通する貫通孔を設けると共に、前記ハンドルスタンドの内周にカバ−を嵌合して前記貫通孔を閉塞したことを特徴とする魚釣用リ−ル。
【請求項２】
ハンドルスタンドの長手方向の中間部を小径部に、両側を大径部に形成したことを特徴とする請求項１記載の魚釣用リ−ル。
【発明の詳細な説明】
【技術分野】
【０００１】
本発明は、リ−ル本体からハンドルア−ムを離間して回転可能にするハンドルスタンドを改善した魚釣用リ−ルに関する。
【背景技術】
【０００２】
従来魚釣用スピニングリ−ルでは特許文献１、２のように、リ−ル本体内に設けた巻取駆動機構の駆動歯車をハンドル軸で回転してロ−タを回転させてスプ−ルに釣糸を巻回するように構成されている。
ロ−タとスプ−ルはリ−ル本体の横幅より大きく形成されているので、ハンドルのハンドルア−ムがロ−タに接触しないように、ハンドル軸を長くしてハンドルア−ムをリ−ル本体から離間して取り付けたり、中継軸を使用してハンドルア−ムをリ−ル本体から離間して取り付けている。
そして、リ−ル本体の外側のハンドル軸や中継軸の外側はハンドルスタンドで覆われる共に、ハンドル軸に対してハンドルア−ムの起立状態が維持出来るようにハンドルスタンドが取り付けられている。
特許文献１のハンドルスタンドは、内部に空間部を有する大口径であることから、大型、重量化してしまう。
又、開口部外周にハンドル軸方向に向かう貫通孔が形成されているので内部に海水、ゴミ等が侵入しやすい。
更にハンドルスタンドの外周形状に凹凸が無く、ハンドルア−ム側に向かって除々に小径になり、テ−パ−状になっているので、指をハンドルスタンドの外周に当ててハンドル回転による釣糸繰り出し操作を行う場合のサミング操作性に劣る。
特許文献２のハンドルスタンドは、肉厚状で重量化し、指をハンドルスタンドの外周に当ててハンドル回転による釣糸繰り出し操作を行う場合のサミング操作性に劣る。
【特許文献１】特許第３９６４６２３号公報
【特許文献２】実公平８−８５６号公報
【発明の開示】
【発明が解決しようとする課題】
【０００３】
解決しようとする問題点は、特許文献１、２のハンドルスタンドは、ハンドル軸や中継軸の外側を覆うカバ−であって、重量化したり、釣糸繰り出し操作に使用しようとしてもサミング操作性に劣ることである。
【０００４】
本発明の目的は前記欠点に鑑み、ハンドルスタンドを軽量化すると共にサミング操作性を向上した魚釣用リ−ルを提供することである。
【課題を解決するための手段】
【０００５】
本発明の請求項１は、リ−ル本体からハンドルア−ムを離間して回転可能にするハンドルスタンドを円筒状に形成してハンドルア−ムを取り付けたハンドル軸の外周に嵌合し、前記ハンドルスタンドの外周に、ハンドル軸に向けて貫通する貫通孔を設けると共に、前記ハンドルスタンドの内周にカバ−を嵌合して前記貫通孔を閉塞したことを要旨とするものである。
本発明の請求項２は、ハンドルスタンドの長手方向の中間部を小径部に、両側を大径部に形成したことを要旨とするものである。
【発明の効果】
【０００６】
本発明により、ハンドルスタンドは外形が小径部と両側大径部と傾斜部で形成されて貫通孔が穿設されているので軽量化され、貫通孔は色彩や模様を施したカバ−で閉塞されているので、海水やゴミの侵入によるトラブルが発生し難く、意匠性が高められる。
また、仕掛の投擲時に、仕掛の垂れ下がった釣糸の長さを調節する時に、ハンドルスタンドに小指を当てることでハンドルの逆回転を防ぎ、滑り止め効果が得られて微妙な調節が容易に出来る。
【発明を実施するための最良の形態】
【０００７】
ハンドル軸４の右端４ｄには軸孔４ｅが穿設されて軸１３でハンドルア−ム５が折り畳めるように回動可能に取り付けられている。
ハンドル軸４の右端４ｄの外周には雄ネジ４ｆが形成されている。
リ−ル本体１の突出筒部１ａの外側に突出したハンドル軸４の外周はハンドルスタンド６で覆われるようにハンドルスタンド６の内周右端の雌ネジ６ａがハンドル軸４の雄ネジ４ｆに螺合されている。
雄ネジ４ｆに雌ネジ６ａを螺合し、ハンドルスタンド６を回転してネジを締め付けることによりハンドル軸４に対してハンドルア−ム５を垂直に起立状態で保持することが出来る。
ハンドルスタンド６は円筒状に形成されると共に、外形は長手方向の中間部を小径部６ｂに、両側を大径部６ｃ、６ｄに形成すると共に、大径部６ｃと小径部６ｂの間に傾斜部６ｅを設け、小径部６ｂの周方向にハンドル軸４の中心に向けて貫通する貫通孔６ｆが複数穿設されている。
ハンドルスタンド６の内周右端の雌ネジ６ａより左側に段部で大径内周部６ｇが形成され、大径内周部６ｇの左側に周方向の溝６ｈが形成されている。
大径内周部６ｇ内には円筒状のカバ−１４が嵌合されて溝６ｈに嵌めたＯリング１５で抜け止めされている。
大径内周部６ｇ内にカバ−１４を嵌合することで貫通孔６ｆが閉塞される。
カバ−１４の外周には色彩や模様を施して貫通孔６ｆを通して見れるようにして意匠性を高めてもよい。
【実施例１】
【０００８】
以下、図示の一実施例によって本発明を説明すると、魚釣用リ−ルを魚釣用スピニングリ−ルで述べると、図１は魚釣用スピニングリ−ルの要部断面平面図、図２は図１の要部拡大断面平面図、図３は図２の外観平面図、図４はハンドル軸とハンドルスタンドの分解断面平面図、図５はハンドルスタンドの拡大断面平面図、図６は図５のＦ６−Ｆ６断面線の断面背面図、図７は釣竿に魚釣用スピニングリ−ルが装着されて仕掛けを付けた釣糸が竿先から垂らされた状態の側面図である。
【０００９】
魚釣用スピニングリ−ルは、リ−ル本体１に蓋体２が図示しないビスで取り付けられ、リ−ル本体１の外側に突出筒部１ａが形成されて突出筒部１ａの内側に軸受１０が保持されている。
蓋体２の外側に突出筒部２ａが形成されて突出筒部２ａの内側に軸受１１が保持されている。
軸受１０、１１で駆動歯車３の筒状の駆動軸３ａが軸承されて駆動軸３ａの中心に形成された右ネジの小径雌ネジ３ｂと左ネジの大径雌ネジ３ｃの何れかにハンドル軸４に形成された右ネジの小径雄ネジ４ａと左ネジの大径雄ネジ４ｂの何れかが右ハンドルまたは左ハンドルで螺合されている。
駆動歯車３の大径雌ネジ３ｃのネジ山の頂部ａはカットされて平面３ｄに形成されてハンドル軸４の小径雄ネジ４ａが大径雌ネジ３ｃに嵌挿される際、小径雄ネジ４ａのネジ山の頂部ｂと大径雌ネジ３ｃのネジ部との干渉が防止されている。
駆動歯車３の筒状の駆動軸３ａ内周の小径雌ネジ３ｂと大径雌ネジ３ｃの間には大径の内周面３ｅが、小径雌ネジ３ｂの図１、図２で右側には大径の内周面３ｆが形成されている。
ハンドル軸４には端部にツマミ１２が回転自在に軸承されたハンドルア−ム５とハンドルスタンド６が取り付けられている。
【００１０】
図１、図２でハンドル軸４の大径雄ネジ４ｂの右側には段部で大径部４ｃが形成されて駆動軸３ａの右端の端面に当接され、ハンドル軸４の右端４ｄには軸孔４ｅが穿設されて軸１３でハンドルア−ム５が折り畳めるように回動可能に取り付けられている。
ハンドル軸４の右端４ｄの外周には雄ネジ４ｆが形成されている。
図１、図２でリ−ル本体１の突出筒部１ａの外側に突出したハンドル軸４の外周はハンドルスタンド６で覆われるようにハンドルスタンド６の内周右端の雌ネジ６ａがハンドル軸４の雄ネジ４ｆに螺合されている。
雄ネジ４ｆに雌ネジ６ａを螺合し、ハンドルスタンド６を回転してネジを締め付けることによりハンドル軸４に対してハンドルア−ム５を垂直に起立状態で保持することが出来る。
【００１１】
ハンドルスタンド６は円筒状に形成されると共に、外形は長手方向の中間部を小径部６ｂに、両側を大径部６ｃ、６ｄに形成すると共に、大径部６ｃと小径部６ｂの間に傾斜部６ｅを設け、小径部６ｂの周方向にハンドル軸４の中心に向けて貫通する貫通孔６ｆが複数穿設されている。
ハンドルスタンド６の内周右端の雌ネジ６ａより左側に段部で大径内周部６ｇが形成され、大径内周部６ｇの左側に周方向の溝６ｈが形成されている。
大径内周部６ｇ内には円筒状のカバ−１４が嵌合されて溝６ｈに嵌めたＯリング１５で抜け止めされている。
大径内周部６ｇ内にカバ−１４を嵌合することで貫通孔６ｆが閉塞される。
カバ−１４の外周には色彩や模様を施して貫通孔６ｆを通して見れるようにして意匠性を高めてもよい。
【００１２】
駆動歯車３は平板状の歯車部３ｇと駆動軸３ａが一体的に形成され、歯車部３ｇには駆動軸３ａの軸線方向と同一方向の透孔３ｈが穿設されている。
透孔３ｈは複数個穿設しても良い。
駆動歯車３の透孔３ｈの位置の外側の蓋体２に駆動歯車３の回転阻止部７が設けられている。
回転阻止部７には、ゴム等のバネ性を有する弾性材からなる付勢部材８が取付けられている。
付勢部材８で覆われた回転阻止部７は駆動歯車３の駆動軸３ａにハンドル軸４のネジが螺合される時に駆動歯車３の回転を止めるために使用される。
駆動歯車３のネジにハンドル軸４のネジが螺合されない側の駆動歯車３にはカバ−１６が螺合で取付けられている。
【００１３】
ハンドルが右ハンドルで構成される時は図１、図２のように、駆動歯車３の右ネジの小径雌ネジ３ｂにハンドル軸４の右ネジの小径雄ネジ４ａが螺合され、ハンドルが左ハンドルで構成される時は、駆動歯車３の左ネジの大径雌ネジ３ｃにハンドル軸４の左ネジの大径雄ネジ４ｂが螺合される。
ハンドルが右ハンドルで構成される時、筒部１ａの端面にハンドルスタンド６の大径部６ｃ側の端面が対向されている。
ハンドルが右ハンドルで構成される時、駆動歯車３の左ネジの大径雌ネジ３ｃにカバ−１６の左ネジの大径雄ネジ１６ｂが螺合されて筒部２ａの端面にカバ−１６の外側カバ−１６ａの端面が対向されている。
ハンドルが左ハンドルで構成される時は、駆動歯車３の右ネジの小径雌ネジ３ｂにカバ−１６の雄ネジ１６ｃが螺合されて、リ−ル本体１の外側の筒部１ａの端面にカバ−１６の外側カバ−１６ａの端面が対向され、蓋体２の外側の筒部２ａの端面にハンドルスタンド６の大径部６ｃ側の端面が対向される。
【００１４】
リ−ル本体１内の前側の図示しない軸受で駆動筒軸１７の前側が回転自在に支持され、リ−ル本体１内の軸受部１ｂに駆動筒軸１７の基端１７ａが嵌合支持され、基端１７ａの前側に一体的にピニオン歯車１７ｂが形成されて駆動歯車３の歯車部３ｇに噛合されている。
駆動筒軸１７の前端にロ−タ９の図示しない中心筒部が回り止め嵌合されて図示しないナットで取り付けられている。
駆動筒軸１７の中心透孔には前側にスプ−ル１８が取り付けられたスプ−ル軸１９が前後往復動可能に摺動自在に挿入されている。
ロ−タ９は中心筒部で駆動筒軸１７に取り付けられ、図示しない筒部と前壁と大径の筒部９ａと大径の筒部９ａの基部の外周から前方に向けて突出された一対の支持腕９ｂ、９ｃとで形成されて支持腕９ｂに一方のベ−ル支持部材２０が図示しないビスで止められ、支持腕９ｃに他方のベ−ル支持部材２１が図示しないビスで止められて釣糸巻取位置と図示しない釣糸放出位置に反転自在に軸承されている。
一方のベ−ル支持部材２０には釣糸案内ロ−ラの取付部２２が取り付けられている。
他方のベ−ル支持部材２１と釣糸案内ロ−ラの取付部２２の間にベ−ル２３が取り付けられている。
スプ−ル１８は前側鍔部１８ａと釣糸２４が巻回される釣糸巻回胴部１８ｂとスカ−ト部１８ｃを備えた後側鍔部１８ｄとで形成されている。
【００１５】
前記魚釣用スピニングリ−ルの動作は、釣糸２４がスプ−ル１８に巻回される方向にハンドルア−ム５が回転されると、駆動歯車３が回転されてピニオン歯車１７ｂを介して駆動筒軸１７とロ−タ９が正回転される。
釣糸２４がスプ−ル１８に巻回される時は、一方のベ−ル支持部材２０に設けられた釣糸案内ロ−ラで釣糸２４が案内されて前後に往復動されるスプ−ル１８に平行に巻回される。
【００１６】
前記ハンドルスタンド６の効用について、図７のように釣竿２５に魚釣用スピニングリ−ルＡが装着されて仕掛２６の投擲時に、逆転ストッバ−ＯＦＦで、仕掛２６が取り付けられた釣糸２４が竿先から垂らされた状態で、釣糸の巻き込み過ぎや釣糸繰り出しで、垂れ下がった釣糸の長さＬを調節する時やフカセ釣り等を行う時に、釣竿とリ−ルスタンドを手の指で握った状態で小指をハンドルスタンド６の大径部６ｃと小径部６ｂの間の傾斜部６ｅに当てることで、指を安定して当てられ、更に貫通孔６ｆの段差が指の腹に当たって適度の抵抗力を与えることができるので、効果的、かつ容易に行える。
ハンドルスタンド６に小指を当てると、ハンドルの逆回転を防ぎ、滑り止め効果が得られて微妙な調節が容易に出来る。
【００１７】
前記のように魚釣用スピニングリ−ルが構成されると、ハンドルスタンド６は外形が小径部６ｂと両側大径部６ｃ、６ｄと傾斜部６ｅで形成されて貫通孔６ｆが穿設されているので軽量化され、貫通孔６ｆは色彩や模様を施したカバ−１４で閉塞されているので、海水やゴミの侵入によるトラブルが発生し難く、意匠性が高められる。
また、仕掛２６の投擲時に、仕掛２６の垂れ下がった釣糸の長さＬを調節する時に、ハンドルスタンド６に小指を当てることでハンドルの逆回転を防ぎ、滑り止め効果が得られて微妙な調節が容易に出来る。
【産業上の利用可能性】
【００１８】
魚釣用スピニングリ−ル以外の他の魚釣用リ−ル等の駆動ハンドル構造に実施してもよい。
【図面の簡単な説明】
【００１９】
【図１】魚釣用スピニングリ−ルの要部断面平面図である。
【図２】図１の要部拡大断面平面図である。
【図３】図２の外観平面図である。
【図４】ハンドル軸とハンドルスタンドの分解断面平面図である。
【図５】ハンドルスタンドの拡大断面平面図である。
【図６】図５のＦ６−Ｆ６断面線の断面背面図である。
【図７】釣竿に魚釣用スピニングリ−ルが装着されて仕掛糸が竿先から垂らされた状態の側面図である。
【符号の説明】
【００２０】
１  リ−ル本体
４  ハンドル軸
５  ハンドルア−ム
６  ハンドルスタンド
６ｂ  小径部
６ｃ、６ｄ  大径部
６ｆ  貫通孔
１４  カバ−
【図１】
2010115127.tif 000003
【図２】
2010115127.tif 000004
【図３】
2010115127.tif 000005
【図４】
2010115127.tif 000006
【図５】
2010115127.tif 000007
【図６】
2010115127.tif 000008
【図７】
2010115127.tif 000009